(57)【要約】【課題】使用済みのエアゾール容器内の残留ガスを容易に抜き出す。【解決手段】オーバーキャップ１０の天板部１１に、押圧板１４がヒンジ部１５回りに下方に折り曲げ可能に区画されるとともに、この押圧板１４の両側面１４ｂにそれぞれ突起部１６が突設され、このオーバーキャップ１０の内部に、一対の支持板１３が、これら１３の間を前記折り曲げられた押圧板１４が通過可能となるように天板部１１の表面に沿った方向で互いに対向して設けられ、この押圧板１４をヒンジ部１５回りに下方に折り曲げて支持板１３同士の間を通過させるときに、突起部１６が支持板１３に引っ掛かり、押圧板１４の前記折り曲げた方向と反対方向の移動が規制され、かつ前記嵌合した状態で、この押圧板１４においてヒンジ部１５の反対側に位置する押下端部１４ａが、噴霧ヘッドの上面を押し下げるようになっている。【選択図】図３
2008030845.tif 000002
【特許請求の範囲】
【請求項１】
上方付勢状態で立設されたステムと、このステムに取り付けられた噴霧ヘッドとを備えたエアゾール容器に嵌合されるエアゾール容器用オーバーキャップであって、
エアゾール容器に嵌合した状態で前記噴霧ヘッドの上面に対向する天板部が備えられ、
この天板部に、押圧板がヒンジ部回りに下方に折り曲げ可能に区画されるとともに、この押圧板の両側面にそれぞれ突起部が突設され、
このオーバーキャップの内部に、一対の支持板が、これらの間を前記折り曲げられた押圧板が通過可能となるように前記天板部の表面に沿った方向で互いに対向して設けられ、
押圧板をヒンジ部回りに下方に折り曲げて前記支持板同士の間を通過させるときに、前記突起部が支持板に引っ掛かり、押圧板の前記折り曲げた方向と反対方向の移動が規制され、かつ前記嵌合した状態で、この押圧板においてヒンジ部の反対側に位置する押下端部が、前記噴霧ヘッドの上面を押し下げる構成とされたことを特徴とするエアゾール容器用オーバーキャップ。
【請求項２】
請求項１記載のエアゾール容器用オーバーキャップであって、
前記押圧板の外周縁において、ヒンジ部と連結された部分を除いた部分は、この押圧板の前記折り曲げにより破断可能なブリッジを介して前記天板部と連結されていることを特徴とするエアゾール容器用オーバーキャップ。
【請求項３】
請求項１または２に記載のエアゾール容器用オーバーキャップであって、
前記一対の支持板は、それぞれの側面同士が前記天板部の表面に沿った方向で互いに対向するように設けられ、
前記押圧板を前記支持板の側面同士の間を通過させる過程において、前記突起部を両支持板の表面に押し付けつつ前記押圧板を前記側面同士の間に押し込み、この突起部および支持板の少なくとも一方を弾性変形させ、前記突起部を、これらの支持板の前記側面を乗り越えさせて支持板の裏面側に至らせることによって、この裏面に引っ掛ける構成とされたことを特徴とするエアゾール容器用オーバーキャップ。
【請求項４】
請求項３記載のエアゾール容器用オーバーキャップであって、
前記押圧板と突起部との連結部分にスリットが形成されていることを特徴とするエアゾール容器用オーバーキャップ。
【請求項５】
上方付勢状態で立設されたステム、およびこのステムに取り付けられた噴霧ヘッドを備えたエアゾール容器と、前記ステムおよび噴霧ヘッドを囲うようにこのエアゾール容器に嵌合されたエアゾール容器用オーバーキャップとを備えたオーバーキャップ付きエアゾール容器であって、
前記エアゾール容器用オーバーキャップが請求項１から４のいずれかに記載のエアゾール容器用オーバーキャップであることを特徴とするオーバーキャップ付きエアゾール容器。
【発明の詳細な説明】
【技術分野】
【０００１】
本発明は、エアゾール容器用オーバーキャップおよびオーバーキャップ付きエアゾール容器に関するものである。
【背景技術】
【０００２】
この種のエアゾール容器として、例えば下記特許文献１に示されるような、上方付勢状態で立設されたステムと、ステムに取り付けられた噴霧ヘッドとを備える構成が知られている。
【特許文献１】特開２００１−３１１５８号公報
【発明の開示】
【発明が解決しようとする課題】
【０００３】
しかしながら、前記従来のエアゾール容器では、需要者において、この容器内の内容物を使い切った後、噴霧ヘッドを指で押し続けてこの使用済みのエアゾール容器内の残留ガスを抜き出していた。
【０００４】
本発明は、このような事情を考慮してなされたもので、使用済みのエアゾール容器内の残留ガスを容易に抜き出すことができるエアゾール容器用オーバーキャップおよびオーバーキャップ付きエアゾール容器を提供することを目的とする。
【課題を解決するための手段】
【０００５】
上記課題を解決して、このような目的を達成するために、本発明のエアゾール容器用オーバーキャップは、上方付勢状態で立設されたステムと、このステムに取り付けられた噴霧ヘッドとを備えたエアゾール容器に嵌合されるエアゾール容器用オーバーキャップであって、エアゾール容器に嵌合した状態で前記噴霧ヘッドの上面に対向する天板部が備えられ、この天板部に、押圧板がヒンジ部回りに下方に折り曲げ可能に区画されるとともに、この押圧板の両側面にそれぞれ突起部が突設され、このオーバーキャップの内部に、一対の支持板が、これらの間を前記折り曲げられた押圧板が通過可能となるように前記天板部の表面に沿った方向で互いに対向して設けられ、押圧板をヒンジ部回りに下方に折り曲げて前記支持板同士の間を通過させるときに、前記突起部が支持板に引っ掛かり、押圧板の前記折り曲げた方向と反対方向の移動が規制され、かつ前記嵌合した状態で、この押圧板においてヒンジ部の反対側に位置する押下端部が、前記噴霧ヘッドの上面を押し下げる構成とされたことを特徴とする。
この発明では、押圧板をヒンジ部回りに下方に折り曲げることにより、前記突起部を支持板に引っ掛け、押圧板の前記折り曲げた方向と反対方向の移動を規制した状態で、前記押下端部により噴霧ヘッドの上面を押圧するようになっているので、押下端部に前記ステムからの押し上げ力が噴霧ヘッドを介して作用しても、押圧板を指で押し続けることなく、この押下端部による噴霧ヘッドの押し下げを維持することが可能になり、使用済みのエアゾール容器内の残留ガスを容易に抜き出すことができる。
しかも、オーバーキャップをエアゾール容器から取り外すことなく前述のように押圧板を折り曲げて残留ガスを抜き出すことも可能になり、この残留ガスを抜き出すときに、手にこのガスが付着するのを防ぐことができる。
【０００６】
ここで、前記押圧板の外周縁において、ヒンジ部と連結された部分を除いた部分は、この押圧板の前記折り曲げにより破断可能なブリッジを介して前記天板部と連結されてもよい。
この場合、前記折り曲げる前の押圧板を天板部に対してぐらつかせることなく安定させることができる。
【０００７】
また、前記一対の支持板は、それぞれの側面同士が前記天板部の表面に沿った方向で互いに対向するように設けられ、前記押圧板を前記支持板の側面同士の間を通過させる過程において、前記突起部を両支持板の表面に押し付けつつ前記押圧板を前記側面同士の間に押し込み、この突起部および支持板の少なくとも一方を弾性変形させ、前記突起部を、これらの支持板の前記側面を乗り越えさせて支持板の裏面側に至らせることによって、この裏面に引っ掛ける構成とされてもよい。
この構成において、前記押圧板と突起部との連結部分にスリットが形成されてもよい。
この場合、突起部を支持板の裏面側に至らせるときに、この突起部を、押圧板に大きな押圧力をかけることなくスムーズに弾性変形させることが可能になり、前記ガス抜きを一層容易に行うことができる。
【０００８】
また、本発明のオーバーキャップ付きエアゾール容器は、上方付勢状態で立設されたステム、およびこのステムに取り付けられた噴霧ヘッドを備えたエアゾール容器と、前記ステムおよび噴霧ヘッドを囲うようにこのエアゾール容器に嵌合されたエアゾール容器用オーバーキャップとを備えたオーバーキャップ付きエアゾール容器であって、前記エアゾール容器用オーバーキャップが本発明のエアゾール容器用オーバーキャップであることを特徴とする。
【発明の効果】
【０００９】
この発明に係るエアゾール容器用オーバーキャップおよびオーバーキャップ付きエアゾール容器によれば、使用済みのエアゾール容器内の残留ガスを容易に抜き出すことができる。
【発明を実施するための最良の形態】
【００１０】
以下、図面を参照し、この発明の実施の形態について説明する。この実施形態に係るエアゾール容器用オーバーキャップ（以下、「オーバーキャップ」という）１０が嵌合されるエアゾール容器２０は、上端面２１に上方付勢状態でステム２２が立設されたエアゾール容器本体と、ステム２２が嵌合された導入口を有する噴霧ヘッド２３とを備えている。また、エアゾール容器本体は、胴部２４と、この胴部２４の上端に設けられた肩部２５とを備える容器本体の上端開口部にマウンティングカップ２６が巻き締められ、このマウンティングカップ２６の上面に前記ステム２２が上方付勢状態で立設されている。
【００１１】
オーバーキャップ１０は、上面視円形状の天板部１１と、この天板部１１の外周縁からほぼ垂下してなる周壁部１２とを備え、この周壁部１２の下端開口部の内周面がマウンティングカップ２６の外周面に嵌合することにより、エアゾール容器２０に取り付けられてオーバーキャップ付きエアゾール容器が構成されるようになっている。また、このオーバーキャップ付きエアゾール容器において、天板部１１の内面が噴霧ヘッド２３の上面と対向するようになっている。
【００１２】
そして、本実施形態では、天板部１１に、押圧板１４がヒンジ部１５回りに下方に折り曲げ可能に区画されるとともに、この押圧板１４の両側面１４ｂにそれぞれ突起部１６が突設されている。また、このオーバーキャップ１０の内部に、一対の支持板１３が、これら１３の間を前記折り曲げられた押圧板１４が通過可能となるように天板部１１の表面に沿った方向で互いに対向して設けられている。
以上より、押圧板１４をヒンジ部１５回りに下方に折り曲げて支持板１３同士の間を通過させるときに、突起部１６が支持板１３に引っ掛かり、押圧板１４の前記折り曲げた方向と反対方向の移動が規制され、かつオーバーキャップ１０をエアゾール容器２０に嵌合した状態で、この押圧板１４においてヒンジ部１５の反対側に位置する押下端部１４ａが、噴霧ヘッド２３の上面を押し下げるようになっている。
【００１３】
図示の例では、一対の支持板１３は、それぞれの側面１３ａ同士が天板部１１の表面に沿った方向で互いに対向するように設けられている。そして、押圧板１４を前記のように支持板１３同士の間を通過させる過程において、突起部１６を両支持板１３の表面１３ｂに押し付けつつ押圧板１４を前記側面１３ａ同士の間に押し込み、この突起部１６および支持板１３の少なくとも一方を弾性変形させ、突起部１６を、これらの支持板１３の側面１３ａを乗り越えさせて裏面１３ｃ側に至らせることによって、この裏面１３ｃに引っ掛けるようになっている。これにより、押圧板１４の、前記折り曲げた方向と反対方向の移動が規制されるようになっている。
【００１４】
なお、両支持板１３はそれぞれ、天板部１１および周壁部１２の各内面に連結されるとともに、その表裏面１３ｂ、１３ｃは、オーバーキャップ１０の径方向および中心軸線Ｏ方向の双方に沿って延在している。また、ヒンジ部１５および押下端部１４ａはそれぞれ、前記中心軸線Ｏをこのオーバーキャップ１０の径方向で挟んだ互いに対向する位置に配置されている。
【００１５】
そして、一対の支持板１３は、ヒンジ部１５および押下端部１４ａの各配置位置からそれぞれ、前記中心軸線Ｏ回りに９０°ずれた位置に配置されるとともに、その側面１３ａ同士が前記中心軸線Ｏをこのオーバーキャップ１０の径方向で挟んで互いに対向するように配置されている。さらに、一対の支持板１３の各側面１３ａ同士の距離は、押圧板１４の幅、すなわちヒンジ部１５と押下端部１４ａとが前記対向する方向に直交する方向の大きさよりも大きくされ、押圧板１４を前記折り曲げたときに、この押圧板１４が支持板１３の側面１３ａ同士の間を通過できるようになっている。
【００１６】
また、オーバーキャップ付きエアゾール容器において、天板部１１の径方向中央部の内面と対向する位置に噴霧ヘッド２３の上面が位置されている。さらに、ヒンジ部１５は、天板部１１の内面に形成され、ヒンジ部１５と押下端部１４ａとが前記対向する方向に直交する方向に延びる凹み部とされている。
【００１７】
図示の例では、押圧板１４は天板部１１の上面視矩形状とされ、突起部１６は、押圧板１４の両側面１４ｂにおいて押下端部１４ａ側にそれぞれ形成されている。そして、突起部１６は天板部１１の上面視矩形状とされ、この突起部１６のうちヒンジ部１５側の端部１６ａは、その端に向かうに従い漸次突出高さが低くなる傾斜形状とされている。このように突起部１６の前記端部１６ａが傾斜形状とされることによって、押圧板１４を前述のように折り曲げて、突起部１６を支持板１３の裏面１３ｃ側に至らせる過程において、突起部１６の前記端部１６ａを、支持板１３の表面１３ｂおよび側面１３ａ上に引っ掛けることなく滑らかに摺接させるようになっている。
また、押圧板１４の両側面１４ｂに突設された各突起部１６において、押圧板１４の側面１４ｂからの突出端部同士の距離は、一対の支持板１３の各側面１３ａ同士の距離よりも大きくなっている。
【００１８】
さらに、前記矩形状とされた押圧板１４の外周縁において、ヒンジ部１５の反対側の端部は、オーバーキャップ１０の径方向外方に突となる曲面状とされ、この突曲面の頂部が前記押下端部１４ａとされている。ここで、前記折り曲げる前の押圧板１４の外周縁において、ヒンジ部１５と連結された部分を除いた部分は、この押圧板１４の前記折り曲げにより容易に破断可能なブリッジ１７を介して天板部１１と連結されている。図示の例では、ブリッジ１７は、前記突の曲面状とされた押圧板１４の前記端部と、天板部１１とを連結している。
【００１９】
なお、押圧板１４、突起部１６および天板部１１の各厚さは同等とされ、押圧板１４がブリッジ１７により天板部１１に連結された状態で、押圧板１４および突起部１６と天板部１１との間にはほぼ段差がなく、このオーバーキャップ１０を径方向外方から見た外観形状は従来品とほぼ同様となっている。
【００２０】
以上説明したように本実施形態に係るエアゾール容器１０によれば、押圧板１４をヒンジ部１５回りに下方に折り曲げることにより、突起部１６を支持板１３に引っ掛け、押圧板１４の前記折り曲げた方向と反対方向の移動を規制した状態で、押下端部１４ａにより噴霧ヘッド２３の上面を押圧するようになっているので、押下端部１４ａにステム２２からの押し上げ力が噴霧ヘッド２３を介して作用しても、押圧板１４を指で押し続けることなく、この押下端部１４ａによる噴霧ヘッド２３の押し下げを維持することが可能になり、使用済みのエアゾール容器２０内の残留ガスを容易に抜き出すことができる。
しかも、オーバーキャップ１０をエアゾール容器２０から取り外すことなく前述のように押圧板１４を折り曲げて残留ガスを抜き出すことも可能になり、この残留ガスを抜き出すときに、手にこのガスが付着するのを防ぐことができる。
【００２１】
また、本実施形態では、押圧板１４の外周縁においてヒンジ部１５と連結された部分を除いた部分が、この押圧板１４の前記折り曲げにより破断可能なブリッジ１７を介して天板部１１と連結されているので、前記折り曲げる前の押圧板１４を天板部１１に対してぐらつかせることなく安定させることができる。
【００２２】
なお、本発明の技術的範囲は前記実施の形態に限定されるものではなく、本発明の趣旨を逸脱しない範囲において種々の変更を加えることが可能である。
例えば、図４に示されるように、押圧板１４と突起部１６との連結部分に、押下端部１４ａとヒンジ部１５とが前記対向する方向に延び、かつ押下端部１４ａ側に向けて開口するスリット１８を形成してもよい。この場合、突起部１６を、支持板１３の側面１３ａを乗り越えさせてその裏面１３ｃ側に至らせるときに、この突起部１６を、押圧板１４に大きな押圧力をかけることなくスムーズに折り曲げることが可能になり、前記ガス抜きを一層容易に行うことができる。
【００２３】
この図４に示す実施形態では、突起部１６が、支持板１３の側面１３ａを乗り越えてその裏面１３ｃ側に至る際、この突起部１６は、押圧板１４を前記折り曲げる方向と反対方向に折り曲げられるのと同時に、二点鎖線で示されるように、押下端部１４ａ側の端部が押圧板１４に接近してスリット１８の幅を狭めるように変形させられることになる。
なお、以上の実施形態に代えて、突起部１６は変形させずに、支持板１３を弾性変形させて、突起部１６を支持板１３の裏面１３ｃ側に至らせるようにしてもよいし、あるいは突起部１６および支持板１３の双方を弾性変形させて、突起部１６を支持板１３の裏面１３ｃ側に至らせるようにしてもよい。
【００２４】
また、前記実施形態では、支持板１３として、天板部１１および周壁部１２の各内面に連結された構成を示したが、これに代えて、例えば天板部１１の内面および周壁部１２の内面のいずれか一方にのみ連結された構成を採用してもよい。
さらに、前記実施形態の支持板１３に代えて、例えば、一対の支持板を、それぞれの表面が前記中心軸線Ｏをオーバーキャップ１０の径方向で挟んで互いに対向するように設けるとともに、これらの各表面に凹み部や孔などを設け、押圧板１４を折り曲げたときに、突起部１６を前記凹み部等に係合させることにより前記支持板に引っ掛けるようにしてもよい。
【００２５】
また、前記実施形態では、押圧板１４をブリッジ１７を介して天板部１１に連結させたが、ブリッジ１７は設けなくてもよい。
さらに、押圧板１４を前記のように折り曲げるのは、オーバーキャップ１０をエアゾール容器２０に嵌合した状態で行ってもよいし、オーバーキャップ１０をエアゾール容器２０から取り外した状態で行い、その後、このオーバーキャップ１０をエアゾール容器２０に嵌合してもよい。
【００２６】
さらにまた、前記実施形態では、一対の支持板１３を、天板部１１の表面に沿った方向のうち、前記中心軸線Ｏをオーバーキャップ１０の径方向で挟んだ互いに対向する位置に設けたが、これらの支持板１３の配設位置は、天板部１１の表面に沿った方向で互いに対向する位置であれば前記実施形態のものに限られるものではない。また、この支持板１３の配設位置や押圧体１４の大きさ等に対応させて、押圧板１４の両側面１４ｂにおける突起部１６の配設位置も適宜変更してもよい。
【産業上の利用可能性】
【００２７】
使用済みのエアゾール容器内の残留ガスを容易に抜き出すことができる。
【図面の簡単な説明】
【００２８】
【図１】本発明に係る一実施形態として示したオーバーキャップ付きエアゾール容器を示す一部縦断面図である。
【図２】図１に示すオーバーキャップ付きエアゾール容器において、押圧板を折り曲げて残留ガスを抜き出している状態を示す一部縦断面図である。
【図３】本発明に係る一実施形態として示したエアゾール容器用オーバーキャップの上面図である。
【図４】本発明に係る他の実施形態として示したエアゾール容器用オーバーキャップの上面図である。
【符号の説明】
【００２９】
１０  エアゾール容器用オーバーキャップ
１１  天板部
１３  支持板
１３ａ  支持板の側面
１３ｂ  支持板の表面
１３ｃ  支持板の裏面
１４  押圧板
１４ａ  押下端部
１４ｂ  押圧板の側面
１５  ヒンジ部
１６  突起部
１７  ブリッジ
１８  スリット
２０  エアゾール容器
２２  ステム
２３  噴霧ヘッド
【図１】
2008030845.tif 000003
【図２】
2008030845.tif 000004
【図３】
2008030845.tif 000005
【図４】
2008030845.tif 000006